(57)【特許請求の範囲】
【請求項１】
後部に、係止部を形設した底板と、中央部に、弦楽器の底部を保持する可倒自在な保持部及び可動可能で使用時に斜状に形成する支持部を設けてなる本体と、先端部に、弦楽器のネックあるいはボディーを係止する係止具とからなり、前記底板と前記本体と前記係止具を水平状に可動可能に連結してなり、使用時に前記支持部を前記係止部に係止すると共に、係止部が、案内部とストッパー部より形設されていることを特徴とする弦楽器用スタンド。
【請求項２】
支持部が、板状で、先端部を折り曲げ、抜止片を形成してなることを特徴とする請求項１記載の弦楽器用スタンド。
【請求項３】
後部に、弦楽器を保持する可倒自在な保持部及び可動可能で使用時に斜状に形成する支持部を設けてなる底板と、前部に、弦楽器のボディーを係止する係止具及び前記支持部を係止する係止部を形設した本体とからなり、少なくとも前記底板と前記本体を可動可能に連結し、前記底板と前記本体を水平状に形成すべく固定具を設けてなることを特徴とする弦楽器用スタンド。
【請求項４】
係止部が、案内部とストッパー部より形成されていることを特徴とする請求項３記載の弦楽器用スタンド。
【請求項５】
保持部が、保持板を観音開きとし、下部に固定溝を設けてなることを特徴とする請求項３又は４記載の弦楽器用スタンド。
【請求項６】
支持部が、板状で、先端部を折り曲げ、抜止片を形設してなることを特徴とする請求項３、４又は５記載の弦楽器用スタンド。
【請求項７】
係止具が弦楽器のボディーの左右の振れを防止すべく、係止片を設けてなることを特徴とする請求項３、４、５又は６記載の弦楽器用スタンド。
【請求項８】
弦楽器の裏側にセットし、ケース内に入れて持ち運びできることを特徴とする請求項１、２、３、４、５、６又は７記載の弦楽器用スタンド。
【発明の詳細な説明】
【技術分野】
【０００１】
本発明は、弦楽器(クラシックギター・エレキギター・バイオリン・ウクレレ等)を移動する際、ケース内に入れて持ち運びできる弦楽器用スタンドに関するものである。
【背景技術】
【０００２】
従来の技術としては、ギターにギタースタンドを装着し、一体化するためにスタンド側に吸盤を設け、装着時に演奏や移動に邪魔ならぬよう、後部支持脚が一定回転収納可能になることを特徴とする着脱式のギタースタンドがある。（特許文献１参照）
【０００３】
また、別の従来技術としては鏡像関係に固定され且つキャップを収容するように構成された、かみ合い式に連結する２つの支持体を有し、これらの支持体の一方又は両方は、更に、取外し可能なハンドルに解除可能に固定されるように構成されていることを特徴とする楽器スタンドがある。（特許文献２参照）
【先行技術文献】
【特許文献】
【０００４】
【特許文献１】特開２００７−３２３０３３号公報
【特許文献２】特表２００５−５２８６４５号公報
【発明の概要】
【発明が解決しようとする課題】
【０００５】
上記前者の場合、吸盤が特徴と思われますが、取り外し時に、吸着しすぎて外しにくい。また、本発明のように係止具と底板と本体を水平方向に形成できず、かつケース内に同梱して運び、落下時の保護が難しい等の問題点がある。
【０００６】
また、上記後者は、折り畳めて持ち運ぶのには便利と思われますが、本発明のように係止具と底板と本体を水平方向に形成できず、かつケース内に同梱して運び、落下時の保護が難しい等の問題点がある。
【０００７】
本発明は、このような従来の構成が有していた問題を解決しようとするもので、係止具により弦楽器のネックやボディーを支持すると共に、底板や本体により確実に保持し、係止具と底板と本体を水平状に形成し、弦楽器の裏側にセットし、ケース内に入れて持ち運びでき、落下した時の破損等を防止することができる弦楽器用スタンドを提供することを目的とする。
【課題を解決するための手段】
【０００８】
後部に、係止部を形設した底板と、中央部に、弦楽器の底部を保持する可倒自在な保持部及び可動可能で使用時に斜状に形成する支持部を設けてなる本体と、先端部に、弦楽器のネックあるいはボディーを係止する係止具とからなり、前記底板と前記本体と前記係止具を水平状に可動可能に連結してなり、使用時に前記支持部を前記係止部に係止すると共に、係止部が、案内部とストッパー部より形設されていること。支持部が、板状で、先端部を折り曲げ、抜止片を形成してなること。後部に、弦楽器を保持する可倒自在な保持部及び可動可能で使用時に斜状に形成する支持部を設けてなる底板と、前部に、弦楽器のボディーを係止する係止具及び前記支持部を係止する係止部を形設した本体とからなり、少なくとも前記底板と前記本体を可動可能に連結し、前記底板と前記本体を水平状に形成すべく固定具を設けてなること。係止部が、案内部とストッパー部より形成されていること。保持部が、保持板を観音開きとし、下部に固定溝を設けてなること。
支持部が、板状で、先端部を折り曲げ、抜止片を形設してなること。係止具が弦楽器のボディーの左右の振れを防止すべく、係止片を設けてなること。弦楽器の裏側にセットし、ケース内に入れて持ち運びできる。
【発明の効果】
【０００９】
１）、折り畳める底板により、弦楽器を安定して床やテーブルにおくことができる。
２)、 必要時に出し入れができる保持部により、弦楽器の底部を確実に保持することができる。
３)、 斜状に形成する支持部により、弦楽器を斜状に形成すると共に、支持部の抜止片と係止部の案内部とストッパー部により、抜止め効果があり、取り付け易いが抜けにくい。
４）、係止具により、弦楽器のネックやボディーを係止することができ、特に左右の倒れ防止に効果がある。
５）、弦楽器用スタンドの外形形状を弦楽器(例えば、ウクレレ・バイオリン・クラシックギター・エレキギター等)の外形形状をデザイン化することにより、見栄もよく、スタンドとして高級感が出る。
また、係止具と底板と本体を水平状に形成することにより弦楽器の裏側にセットし、ケース内に入れて持ち運びでき、落下した時も破損等の確率を最小限にすることができる。
【図面の簡単な説明】
【００１０】
【図１】本発明における第１実施例の弦楽器用スタンドの平面図。
【図２】本発明における第１実施例の弦楽器用スタンドの一部破断正面図。
【図３】本発明における第１実施例の弦楽器用スタンドの底面図。
【図４】本発明における第１実施例の弦楽器用スタンドの一部破断使用状態図。
【図５】本発明における第２実施例の弦楽器用スタンドの平面図。
【図６】本発明における第２実施例の弦楽器用スタンドの底面図。
【図７】本発明における第２実施例の弦楽器用スタンドの組み立てた状態図。
【図８】本発明における第２実施例の弦楽器用スタンドの支持部の一部縦断作動状態図。
【図９】本発明における第２実施例の弦楽器用スタンドの使用状態図。
【発明を実施するための形態】
【００１１】
１は、弦楽器用スタンドである。
２は、後部に配置した係止部2aを形設した底板で、係止部2aは、斜状に形成した案内部2a1と平板によるストッパー部2a2から構成される。
３は、中央部に配置した弦楽器を保持する可倒自在な保持部3a及び斜状に形成する支持部3bを設けてなる本体で、保持部3aは、軸3a1を中心に、前後可倒自在な先端を折り曲げた保持板3a2による形態である。また、支持部3bは、板状で、先端部を折り曲げ、抜止片3b1を形成し、軸3b2にて可動する。４は、先端部に配置した弦楽器のネックの左右の振れを防止すべく、係止片4a・4aを設け、必要に応じて展示等するための孔4bを穿設し、軸4cにて可動自在に形成してなる係止具である。なお、底板2と本体3と係止具4を水平状に連結し、本体3と底板２は蝶番による固定具T・Tにて可動可能に連結してある。
【００１２】
上記弦楽器用スタンド1の使用例について述べる。
まず、底板2を蝶番T・Tより倒すと共に、支持部3bの抜止片3b1を係止部2aの案内部2a1より入れることにより、弦楽器用スタンド1を持ち上げた時、抜止片3b1がストッパー部2a2に当接して抜け止めとなる。
また、後方向に対しては支持部3bの先端面STが、係止2aの垂直面SMに係止するため、後方にも倒れない。
つぎに、保持部3aの保持板3a2を前方に可倒し、垂直方向に突出する。
この状態で、例えば、弦楽器(例えばウクレレ等)Uの底部を保持板3a2上に置き、ネックGNに係止具4を前方に倒して係止するもので、演奏中のスタンドや店内のディスプレイとして使用する。
【００１３】
つぎに、第2実施例の弦楽器用スタンドについて説明する。
21は弦楽器用スタンドである。22は、後部に配置した弦楽器を保持する可倒自在な保持部22a及び斜状に形成する支持部22bを設けてなる底板で、保持部22aは、保持板22a1を観音開きとし、軸22a2に沿って作動し、固定溝22a3により前方垂直方向に突出してなる。
また、支持部22bは板状で、先端部を折り曲げ、抜止片22b1を形成し、蝶番22b2にて可動する。23は、前部に配置した弦楽器のボディーを係止する係止具23a及び支持部22bを係止する係止部23bを形設した本体で、係止具23aは、左右に作動する作動板23a1と前後に作動する係止板23a2とを逆L字形に形設してなる。また、係止部23bは、第１実施例の係止部2aと同様な斜状に形成した案内部23b1と平板によるストッパー部23b2から構成される。
5は、底板22と本体23を水平状に形成すべく、本体23に鉄板による固定板5aと、底板22に磁石5bとからなる固定具である。よって、底板22と本体23と係止具23aとを水平状に形成することができる。なお、底板22と本体23は蝶番T1・T1 にて連結してある。
【００１４】
つづいて、弦楽器用スタンド21の使用例について説明する。
まず、本体23を起立させ、支持部22b斜状にし、抜止片22b1を係止部23bの案内部23b1より入れることにより、弦楽器用スタンド21を持ち上げた時、抜止片22b1がストッパー部23b2に当接して抜け止めとなる。
つぎに、保持板22a1を観音開きし、軸22a2に沿って作動し、固定溝22a3に差し込み、前方垂直方向に突出する。
この状態で、弦楽器(例えばクラシックギター等)Gの底部を保持板22a1に置き、ボディーBOに係止板23a2を当接して支持する。
このように、演奏中のスタンドや店内のディスプレイとして使用する。
【００１５】
上記各実施例において、各部材の材質は特に限定するものではなく、木・プラスチック・アルミ等、必要に応じて決めればよい。
また、弦楽器用スタンドは基本的に水平状に形成した時、表面及び裏面はほぼフラット状に形成することが望ましい。
さらに、弦楽器用スタンドの厚みはできるだけ薄いことが望ましく、弦楽器のケース内に入る大きさとする。
さらにまた、弦楽器はウクレレ・クラシックギター・エレキギター・ベースギター・バイオリン・三味線等、色々な弦楽器に対応できる。
【符号の説明】
【００１６】
１――――弦楽器用スタンド
２――――底板
３――――本体
４――――係止具
G――――ネック
U――――弦楽器
‐１‐
【要約】      （修正有）【課題】取り外しが容易で、かつ、ケース内に同梱して運べ、落下時の保護が可能な弦楽器用スタンドを提供する。【解決手段】後部に、係止部２ａを形設した底板２と、中央部に、弦楽器の底板を保持する保持部３ａ及び支持部３ｂを設けてなる本体３と、先端部に、弦楽器のネックあるいはボディーを係止する係止具４からなる弦楽器用スタンド。底板２と本体３と係止具４は水平に連結されており、係止部２ａは案内部２ａ１とストッパー部２ａ２からなる。【選択図】図１【図１】
0005237484.tif 000002
【図２】
0005237484.tif 000003
【図３】
0005237484.tif 000004
【図４】
0005237484.tif 000005
【図５】
0005237484.tif 000006
【図６】
0005237484.tif 000007
【図７】
0005237484.tif 000008
【図８】
0005237484.tif 000009
【図９】
0005237484.tif 000010